(57)【要約】【課題】携帯性に優れ、使い勝手の良い大きさの化粧用具を備えることが可能な化粧料容器を提供する。【解決手段】化粧料を収納する化粧料収納具と化粧用具が一体となった化粧料容器であって、上記化粧料収納具が容器本体と、上記容器本体に係合される蓋から構成され、上記化粧用具の後端に上記蓋が一体に設けられ、上記化粧用具は先端が取り外し可能なホルダーに覆われている。【選択図】  図１
2010088747.tif 000002
【特許請求の範囲】
【請求項１】
化粧料を収納する化粧料収納具と化粧用具が一体となった化粧料容器であって、
上記化粧料収納具が容器本体と、上記容器本体に係合される蓋から構成され、上記化粧用具の後端に上記蓋が一体に設けられ、上記化粧用具は先端が取り外し可能なホルダーに覆われていることを特徴とする化粧料容器。
【請求項２】
１つのホルダーで複数の化粧用具の先端を収納可能な構造であることを特徴とする請求項１に記載の化粧料容器。
【請求項３】
上記ホルダーが互いに連結できる構造であることを特徴とする請求項１に記載の化粧料容器。
【請求項４】
化粧料を収納する化粧料収納具と化粧用具が一体となった化粧料容器を２つ組み合わせた化粧料容器であって、
上記化粧料収納具が上記化粧用具の後端に設けられ、第１の化粧用具に第２の化粧用具の先端を収納する収納部を設け、第２の化粧用具に上記第１の化粧用具の先端を収納する収納部を設け、上記第１の化粧用具の先端を上記第２の化粧用具の収納部に収納すると、上記第２の化粧用具の先端が上記第１の化粧用具の収納部に収納されることを特徴とする化粧料容器。
【発明の詳細な説明】
【技術分野】
【０００１】
本発明は、化粧料を収納する化粧料収納具と化粧用具が一体となった化粧料容器に関する。
【背景技術】
【０００２】
従来の携帯することを考慮した化粧料容器は、化粧料と化粧用具を一緒に収納する構造が用いられており、例えば、容器本体に仕切りを設けて化粧料を収納する部分と上記化粧料を付けて顔に塗るためのチップやブラシ等の化粧用具を収納する部分を区分けして収納する構造が用いられている（特許文献１参照）。
【特許文献１】実開昭６３−８８２１６号公報
【発明の開示】
【発明が解決しようとする課題】
【０００３】
上述のような従来の化粧料容器を、携帯性を考えてより小さいサイズにする場合には、収納する化粧料を少なくする、あるいは、収納する化粧用具を小さくする方法が用いられている。しかしながら、化粧用具が小さくなると携帯性に優れたとしても、使い勝手が悪化するという問題がある。
【０００４】
そこで、本発明は上記問題を解決するために、携帯性に優れ、使い勝手の良い大きさの化粧用具を備えることが可能な化粧料容器を提供することを目的とする。
【課題を解決するための手段】
【０００５】
本発明の化粧料容器は、化粧料を収納する化粧料収納具と化粧用具が一体となった化粧料容器であって、上記化粧料収納具が容器本体と、上記容器本体に係合される蓋から構成され、上記化粧用具の後端に上記蓋が一体に設けられ、上記化粧用具は先端が取り外し可能なホルダーに覆われていることを特徴とする。
【０００６】
１つのホルダーで複数の化粧用具の先端を収納可能な構造、あるいは、上記ホルダーが互いに連結できる構造とすることも可能である。
【０００７】
本発明の化粧料容器は、化粧料を収納する化粧料収納具と化粧用具が一体となった化粧料容器を２つ組み合わせた化粧料容器であって、上記化粧料収納具が上記化粧用具の後端に設けられ、第１の化粧用具に第２の化粧用具の先端を収納する収納部を設け、第２の化粧用具に上記第１の化粧用具の先端を収納する収納部を設け、上記第１の化粧用具の先端を上記第２の化粧用具の収納部に収納すると、上記第２の化粧用具の先端が上記第１の化粧用具の収納部に収納されることを特徴とする。
【発明の効果】
【０００８】
本発明の化粧料容器は、化粧料を収納する化粧料収納具と化粧用具が一体となった化粧料容器であって、上記化粧料収納具が容器本体と、上記容器本体に係合される蓋から構成され、上記化粧用具の後端に上記蓋が一体に設けられ、上記化粧用具は先端が取り外し可能なホルダーに覆われていることにより、化粧用具を使いやすい大きさにしながらも、化粧料容器全体の大きさは携帯性に優れたサイズとすることができる。
【０００９】
１つのホルダーで複数の化粧用具の先端を収納可能な構造、あるいは、上記ホルダーが互いに連結できる構造とすることによって、複数の化粧料と化粧用具をコンパクトなサイズで持ち運び可能となる。
【００１０】
本発明の化粧料容器は、化粧料を収納する化粧料収納具と化粧用具が一体となった化粧料容器を２つ組み合わせた化粧料容器であって、上記化粧料収納具が上記化粧用具の後端に設けられ、第１の化粧用具に第２の化粧用具の先端を収納する収納部を設け、第２の化粧用具に上記第１の化粧用具の先端を収納する収納部を設け、上記第１の化粧用具の先端を上記第２の化粧用具の収納部に収納すると、上記第２の化粧用具の先端が上記第１の化粧用具の収納部に収納されることにより、２種類の化粧料と化粧用具をコンパクトなサイズに収め、かつ、使いやすい大きさの化粧用具を備えることができる。
【発明を実施するための最良の形態】
【００１１】
本発明を、図を用いて以下に詳細に説明する。図１（ａ）が本発明の第１の実施形態の化粧料容器１の斜視図である。
【００１２】
本発明の化粧料容器１は、化粧料を収納する化粧料収納具２と化粧料を塗布するための化粧用具５が一体に形成された容器であり、上記化粧料収納具２は化粧料を収納する容器本体４と上記容器本体４に係合される蓋３から構成され、上記蓋３が上記化粧用具５の後端に設けられている。上記容器本体４と上記蓋３の係合は、本実施形態ではネジ式を用いているが、特に限定するものではなく、アンダーカット等による係合を用いてもよい。
【００１３】
上記化粧用具５の先端６は収容する化粧料に応じてチップや筆等、様々な形態を用いることができ、さらに、図１（ｂ）に示すような、上記化粧用具５の先端をカバーするホルダー７を設け、上記化粧料容器１を携帯する際に、鞄等に化粧料が付着するのを防ぐ。
【００１４】
上記化粧料容器１を使用する際には、上記容器本体４を回転させて、上記蓋３から取り外し、化粧料を使用できる状態とする。そして、上記ホルダー７を外して、上記化粧用具５の先端６を、上記容器本体４に収納された化粧料に付着させて化粧を行う。
【００１５】
このように、本発明の化粧料容器１は、化粧料を収納する化粧料収納具２を化粧用具５を一体構成とし、化粧用具５を収納する部分を省略することによって、化粧料容器１全体の大きさを小さくし持ち運びに便利な大きさとしながらも、化粧用具５の大きさは従来よりも大きく、使いやすい大きさとすることができる。
【００１６】
次に、図２に示す第２の実施形態の化粧料容器１’について説明する。本実施形態はホルダー７を複数個連結したものであり、本実施形態では２つのホルダーを連結して１つのホルダー７’としている。個数については限定するものではなく、適宜設定可能である。上記ホルダー７’には２つの化粧用具５の先端６が収容される。つまり、本実施形態の化粧料容器１’は、２つの化粧用具５と各々の化粧用具５と一体となった２つの化粧料収納具２から構成される。
【００１７】
このように、複数の化粧料収納具２を備えることから、異なる種類の化粧料を収納することができ、それに合わせて、異なる化粧用具５を用いることができる。これによって、色が異なる化粧料、あるいは全く種類の異なる化粧料を複数収納することができる。
【００１８】
このように複数の化粧料を収納し、複数の化粧用具５を備えていながらも、化粧用具５は先端６以外は剥き出しのままであり、全体の大きさとしては、従来の容器よりも小さいものとすることができる。
【００１９】
上記ホルダー７’の形状としては、図２に示すような２つのホルダーを連結した形状だけではなく、図３（ａ）に示すような、１つのボックス型のホルダー７’に上記化粧用具５の先端６を収納する場所を複数個設けたものも可能である。
【００２０】
また、図３（ｂ）に示すように、ホルダー７を自在に連結可能な構造とし、携帯するときに、必要な個数のホルダー７を連結して、持ち運ぶ化粧料の数を適宜選択可能な構造とすることもできる。これによって、家ではたくさんのホルダー７を連結して使用し、外出する際には、そこから必要な化粧料を選択して、必要な数のホルダー７を連結して持ち運ぶことも可能となる。
【００２１】
次に、第３の実施形態の化粧料容器１０について説明する。図４に示すのが、第３の実施形態の化粧料容器１０の斜視図である。
【００２２】
本実施形態の化粧料容器１０は、２つの化粧用具１２，１３および２つの化粧料収納部１１を備えたものであり、第１の化粧用具１２と第２の化粧用具１３を備える。第１の化粧用具１２は先端１４を備え、後端には化粧料を収納する化粧料収納具１１を備え、第２の化粧用具１３は先端１５を備え、後端には化粧料を収納する化粧料収納具１１を備える。
【００２３】
さらに、第１の化粧用具１２の横には、第２の化粧用具１３の先端１５を収納する収納部１６が設けられ、第２の化粧用具１３の横には、第１の化粧用具１２の先端１４を収納する収納部１７が設けられている。
【００２４】
このように、２つの化粧用具１２，１３には、もう一方の化粧用具１２，１３の先端１４，１５を収納する収納部１６，１７が設けられていることから、図４に示すように、第１の化粧用具１２の先端１４を第２の化粧用具１３の収納部１７に収めると、第２の化粧用具１３の先端１５が第１の化粧用具１２の収納部１６に収まり、収納時は互いに組み合わされて一体となる。
【００２５】
このように、１つの化粧用具１２，１３が収納時には一体となることから、本実施形態の化粧料容器１０は、全体の大きさをよりコンパクトな大きさとすることができる。特に、本実施形態では、図４に示すように、化粧用具１２，１３と収納部１６，１７を平行に配置し、化粧料収納具１１を水平に配置したことから、全体の厚みを薄くすることができる。
【００２６】
また、本実施形態では、２つの化粧用具１２，１３が一組となっているので、例えば、第１の化粧用具１２を使って、第２の化粧用具１３と一体となった化粧料収納具１１に収納された化粧料を塗布することができるので、化粧料収納具１１の構造をより自由に選択することができる。
【００２７】
例えば、化粧料収納具１１は蓋と容器本体から構成されるが、第１，２の実施形態のように、蓋を化粧用具と一体とするのではなく、本実施形態では、容器本体を化粧用具１２，１３と一体に形成することができる。さらに、第１，２の実施形態では、蓋３と容器本体４はネジ式等で取り外し可能に係合する構造であったが、本実施形態では、上述のように容器本体を化粧用具１２，１３と一体に形成することで、蓋を蝶番等の構造で取り外すことなく開閉可能に容器本体に取り付けることもできる。
【００２８】
このように、化粧料収納具１１の構造の自由度が増すことから、より全体の大きさをコンパクトに、そして、より使い勝手の良いものとすることができる。
【００２９】
次に、第４の実施形態の化粧料容器１０’について説明する。図５に示すのが、第４の実施形態の化粧料容器１０’の斜視図である。
【００３０】
第４の実施形態の化粧料容器１０’の構造自体は、第３の実施形態の化粧料容器１０と同じであるが、全体の形状が異なっている。よって、構造についての説明は省略する。
【００３１】
本実施形態の化粧料容器１０’は、化粧料収納具１１が化粧用具１２，１３に対して、垂直に配置されており、全体が略円筒形状に形成されており、第３の実施形態とは全体の形状が異なっている。このように、全体の形状を変えることで、単に機能性や大きさだけでなく、様々なデザインの容器とすることも可能である。
【図面の簡単な説明】
【００３２】
【図１】（ａ）は、本発明の第１の実施形態の化粧料容器の斜視図、（ｂ）は容器本体を外し、ホルダーを用いた場合の化粧料容器の斜視図
【図２】本発明の第２の実施形態の化粧料容器の斜視図
【図３】ホルダーの異なる形態を示す斜視図であり、（ａ）はボックス型のホルダーの斜視図、（ｂ）は連結可能なホルダーの斜視図
【図４】本発明の第３の実施形態の化粧料容器の斜視図
【図５】本発明の第４の実施形態の化粧料容器の斜視図
【符号の説明】
【００３３】
１、１’  化粧料容器
２        化粧料収納具
３        蓋
４        容器本体
５        化粧用具
６        先端
７、７’  ホルダー
１０、１０’  化粧料容器
１１      化粧料収納具
１２      化粧用具
１３      化粧用具
１４      先端
１５      先端
１６      収納部
１７      収納部
【図１】
2010088747.tif 000003
【図２】
2010088747.tif 000004
【図３】
2010088747.tif 000005
【図４】
2010088747.tif 000006
【図５】
2010088747.tif 000007